(57)【要約】【課題】携帯電話やタブレット、ＰＣを使用しながら他の電子装置で再生を行っている場合であっても、再生されているコンテンツの重要な場面の見逃しなど避けたり、見逃し部分を容易に視聴する。【解決手段】実施形態の情報処理装置の第１判別手段は、他の電子装置が再生状態にあるか否かを判別し、第２判別手段は、ユーザが操作可能状態としているアプリケーションの種別を判別する。これらの結果、通知手段は、第１判別手段の判別結果に基づいて前記他の電子装置が再生状態にあり、かつ、前記第２判別手段の判別結果に基づいて、操作可能状態としているアプリケーションが前記他の電子装置の再生との関連性が低いアプリケーションである場合に、前記他の電子装置における再生に関する情報をユーザに通知する。【選択図】図１
2014120806.tif 000002
【特許請求の範囲】
【請求項１】
他の電子機器がコンテンツを再生する状態にあるか否かを判別する第１判別手段と、
ユーザの操作対象であるアプリケーションの種別を判別する第２判別手段と、
前記他の電子装置がコンテンツを再生する状態にあると判別される場合であって、かつ、前記アプリケーションの操作状態が、前記アプリケーションの種別を用いて定められる集中操作状態である場合に、前記他の電子装置における再生に関する情報をユーザに通知する通知手段と、
を備えた情報処理装置。
【請求項２】
再生中のコンテンツの内容が変化するタイミングを検出する検出手段を有し、
前記通知手段は、当該タイミングの前に、前記再生に関する情報をユーザに通知する、
請求項１記載の情報処理装置。
【請求項３】
前記再生に関する情報は、再生中のコンテンツを特定する情報、再生中のコンテンツの新たな視聴あるいは新たな聴取を促す情報、再生中のコンテンツと同一のコンテンツの視聴あるいは聴取を新たに行うための情報の少なくともいずれかを含む、
請求項１または請求項２記載の情報処理装置。
【請求項４】
前記通知手段は、前記他の電子装置が再生しているコンテンツがリアルタイム性が重要なコンテンツである場合には、前記再生に関する情報を直ちにユーザに通知する、
請求項１乃至請求項３のいずれかに記載の情報処理装置。
【請求項５】
前記通知手段は、前記他の電子装置が再生しているコンテンツが無料で閲覧可能なコンテンツである場合には、前記再生に関する情報を当該再生中のコンテンツの再生終了後にユーザに通知する、
請求項１乃至請求項３のいずれかに記載の情報処理装置。
【請求項６】
前記通知手段は、前記他の電子装置が再生しているコンテンツが有料である場合に、前記再生に関する情報にコンテンツ取得先の情報及び料金に関する情報を含めて直ちにユーザに通知する、
請求項１乃至請求項３のいずれかに記載の情報処理装置。
【請求項７】
前記再生に関する情報は、前記コンテンツが有料である場合には、コンテンツ取得先の情報及び料金に関する情報を含む、
請求項１乃至請求項６のいずれかに記載の情報処理装置。
【請求項８】
外部の記録装置を制御する記録制御手段を有し、
前記記録制御手段は、前記外部の記録装置が記録可能状態にある場合には、記録を行わせる、
請求項１乃至請求項７のいずれかに記載の情報処理装置。
【請求項９】
コンテンツ再生を行う他の電子装置の制御を行う情報処理装置において実行される制御方法であって、
他の電子装置が再生状態にあるか否かを判別する再生状態判別過程と、
ユーザが操作可能状態としているアプリケーションの種別を判別するアプリケーション種別判別過程と、
再生状態判別過程における判別結果に基づいて前記他の電子装置が再生状態にあり、かつ、前記アプリケーション種別判別過程における判別結果に基づいて、操作可能状態としているアプリケーションが前記他の電子装置の再生との関連性が低いアプリケーションであり、操作状態が所定の集中操作状態である場合に、前記他の電子装置における再生に関する情報をユーザに通知する情報通知過程と、
を備えた制御方法。
【請求項１０】
コンテンツ再生を行う他の電子装置の制御を行う情報処理装置をコンピュータにより制御するための制御プログラムであって、
前記コンピュータを、
他の電子装置が再生状態にあるか否かを判別する第１判別手段と、
ユーザが操作可能状態としているアプリケーションの種別を判別する第２判別手段と、
第１判別手段の判別結果に基づいて前記他の電子装置が再生状態にあり、かつ、前記第２判別手段の判別結果に基づいて、操作可能状態としているアプリケーションが前記他の電子装置の再生との関連性が低いアプリケーションであり、操作状態が所定の集中操作状態である場合に、前記他の電子装置における再生に関する情報をユーザに通知する通知手段と、
して機能させる制御プログラム。
【発明の詳細な説明】
【技術分野】
【０００１】
本発明の実施形態は、情報処理装置、制御方法及び制御プログラムに関する。
【背景技術】
【０００２】
近年、アプリをユーザが自由に追加できるスマートフォンの普及に伴い、テレビやレコーダ、ＢＤ／ＤＶＤプレーヤーなどの家電を携帯電話（スマートフォン）から操作するためのリモートコントロールアプリケーションの配布が一般的になっている。
しかしながら、これまでのリモコンアプリは既存の赤外線リモコンデバイスが持つ機器操作の機能をそのままアプリとして実現しただけである。
【先行技術文献】
【特許文献】
【０００３】
【特許文献１】特開２００７−１１６５６６号公報
【発明の概要】
【発明が解決しようとする課題】
【０００４】
一方、テレビを見ながら携帯電話やタブレット、ＰＣを使用すること自体は一般化しているが、携帯電話の操作に夢中になってしまい、テレビ番組等のコンテンツの再生において、クライマックスシーン等の重要は場面を見逃してしまうことがよくあった。
【０００５】
また、既存のリモートコントロールアプリケーションは、スマートフォンで主に使う機能であるメールやウェブブラウザなどを使いながらテレビ等の他の電子装置を操作する場合、アプリケーション切替操作などを行う必要があり、不便であった。
【０００６】
本発明の一形態は、上記に鑑みてなされたものであって、携帯電話やタブレット、ＰＣを使用しながら他の電子装置で再生を行っている場合であっても、再生されているコンテンツの重要な場面の見逃しなど避けたり、見逃し部分を容易に視聴することが可能な情報処理装置、制御方法及び制御プログラムを提供することを目的としている。
【課題を解決するための手段】
【０００７】
実施形態の情報処理装置の第１判別手段は、他の電子装置が再生状態にあるか否かを判別する。
第２判別手段は、ユーザが操作可能状態としているアプリケーションの種別を判別する。
これらの結果、通知手段は、第１判別手段の判別結果に基づいて前記他の電子装置が再生状態にあり、かつ、前記第２判別手段の判別結果に基づいて、操作可能状態としているアプリケーションが前記他の電子装置の再生との関連性が低いアプリケーションであり、操作状態が所定の集中操作状態である場合に、前記他の電子装置における再生に関する情報をユーザに通知する。
【図面の簡単な説明】
【０００８】
【図１】図１は、実施形態のコンテンツ再生システムの概要構成ブロック図である。
【図２】図２は、情報処理装置の概要構成ブロック図である。
【図３】図３は、情報処理装置の機能ブロック図である。
【図４】図４は、コンテンツ再生装置監視処理の処理フローチャート（その１）である。
【図５】図５は、コンテンツ再生装置監視処理の処理フローチャート（その２）である。
【発明を実施するための形態】
【０００９】
次に図面を参照して実施形態について説明する。
図１は、実施形態のコンテンツ再生システムの概要構成ブロック図である。
コンテンツ再生システム１０は、ＤＶＤ等のコンテンツ記録媒体に記録されたコンテンツデータ、インターネットなどの通信ネットワークを介して取得可能なコンテンツデータを再生するコンテンツ再生装置１１と、コンテンツ再生装置１１のリモートコントローラとして動作可能なタブレット、スマートフォン等の情報処理装置１２と、情報処理装置１２に無線ルータとして機能する無線基地局１３及び通信ネットワーク１４を介して接続されるとともに、コンテンツの内容に関する情報を蓄積したコンテンツ情報データベース（ＤＢ）１５が接続されたコンテンツ情報サーバ１６と、通信ネットワーク１４に接続され、コンテンツ配信要求に従ってコンテンツを配信するコンテンツ配信サーバ１７と、を備えて構成されている。
上記構成において、コンテンツ再生装置１１としては、テレビ装置、レコーダ等が挙げられる。
【００１０】
また、コンテンツ情報ＤＢ１５は、クライマックスシーン（盛り上がりシーン）タイミング、シーンチェンジタイミング、出演者に関する情報（氏名、出演タイミング等）、コンテンツメタデータ等を格納している。コンテンツ情報サーバ１６は、ソーシャルネットワークシステム（ＳＮＳ）あるいは、掲示板サービスを提供するサーバとしても機能しており、コンテンツに関するクライマックスシーン（盛り上がりシーン）の情報や、シーンチェンジに関する情報を取り扱うことが可能となっている。
【００１１】
ここで、クライマックスシーンとは、ドラマ等におけるストーリー上のクライマックスシーンばかりでなく、スポーツ中継における試合完了直前のシーンや、サッカーなどにおいて、シュート時のシーンなどよりユーザが注目するであろうシーンも含むものとする。シーンチェンジには、コマーシャルの挿入に伴うシーンチェンジや、音楽番組等における曲目紹介シーンと、曲目演奏シーンとの移行なども含む。
【００１２】
次に、情報処理装置１２について詳細に説明する。
図２は、情報処理装置の概要構成ブロック図である。
情報処理装置１２は、情報処理装置１２全体を制御するＭＰＵ２１と、制御プログラムを含む各種データを不揮発的に記憶するＲＯＭ２２と、アプリケーションプログラムを含む各種データを一時的に記憶し、ＭＰＵ２１のワーキングエリアとして機能するＲＡＭ２３と、設定データ等の各種データを更新可能、かつ、不揮発的に記憶するフラッシュＲＯＭ２４と、液晶ディスプレイ等のディスプレイ２５及びディスプレイ２５の表示画面上に配置された透光性のタッチパネル２６を有するタッチパネルディスプレイ２７と、タッチパネルディスプレイ２７の近傍に配置され、ユーザを撮影可能なカメラ２８と、メモリカードＭＣが挿入されてデータの読み書きが行えるカードリーダライタ（Ｒ／Ｗ）２９と、無線基地局１３との間で無線通信を行う無線通信インタフェース（Ｉ／Ｆ）３０と、コンテンツ再生装置１１との間で近距離無線通信を行う近距離無線通信インタフェース（Ｉ／Ｆ）３１と、スピーカ３２を介して音声を出力するオーディオインタフェース（Ｉ／Ｆ）３３と、を備えている。
【００１３】
図３は、情報処理装置の機能ブロック図である。
情報処理装置１２は、コンテンツ再生装置１１と近距離無線通信の結果に基づいて、他の電子機器としてのコンテンツ再生装置１１の再生状況を監視し、コンテンツ再生装置１１がコンテンツを再生する状態にあるか否かを判別するコンテンツ再生状況監視部４１と、テレビ番組等のコンテンツの再生中におけるクライマックスシーン（盛り上がりシーン）、シーンチェンジ等のコンテンツ変化タイミングを検出するコンテンツ変化タイミング検出部（検出手段）４２と、情報処理装置１２における操作状態を監視する端末操作監視部４３と、端末操作監視部４３において検出された操作状態に基づいて実行すべき処理を判断する処理判断部４４と、処理判断部４４の判断結果に基づいて、コンテンツ再生装置１１のリモートコントロールを行うリモートコントロール部４５と、処理判断部の判断結果に基づいてユーザに対し各種通知を行うユーザ通知部（通知手段）４６と、を備えている。
【００１４】
以下の説明においては、情報処理装置１２には、少なくともコンテンツ再生装置１１のリモートコントロールを行うリモートコントロールアプリケーション、通信ネットワーク１４を介して電子メールの送受信を行うメールアプリケーション、通信ネットワーク１４を介してウェブブラウジングを行うブラウザアプリケーションがインストールされているものとする。
【００１５】
次に実施形態の動作を説明する。
図４は、コンテンツ再生装置監視処理の処理フローチャート（その１）である。
図５は、コンテンツ再生装置監視処理の処理フローチャート（その２）である。
以下の説明においては、本処理フローチャートにおいては、いずれのコンテンツ再生装置（テレビやレコーダー）と連携するかを自動的に決定する方法については考慮しておらず、ユーザが明示的に設定する、などの方法で、組み合わされるコンテンツ再生装置は決まっているものと想定している。そして、当該コンテンツ再生装置と相互通信が可能な状態で動作するものとする。
【００１６】
まず、情報処理装置１２のＭＰＵ２１は、リモートコントロールアプリケーションの処理手順に従って、コンテンツ再生状況監視部４１として機能し、コンテンツ再生装置１１とリモコンエージェントアプリが動作する端末である当該情報処理装置１２とが相互通信可能な状態にあるかを随時確認する。そして、情報処理装置１２のＭＰＵ２１は、テレビやレコーダとして構成されているコンテンツ再生装置１１と相互通信可能な場合にコンテンツ再生装置１１の動作を監視する。そして、コンテンツ再生装置１１により、ユーザである視聴者が、いずれのコンテンツを視聴しているかを監視することとなる。
【００１７】
コンテンツ再生状況監視部４１として機能しているＭＰＵ２１は、コンテンツ再生装置１１と通信可能な状態になると、コンテンツ変化タイミング検出部４２及び端末操作監視部４３としての機能を開始することとなる。
【００１８】
一方、コンテンツ再生状況監視部４１として機能しているＭＰＵ２１がコンテンツ再生装置１１と相互通信できない状態になった場合には、コンテンツ変化タイミング検出部４２及び端末操作監視部４３としての機能を停止することとなる。
【００１９】
コンテンツ再生状況監視部（第１判別手段）４１として機能するＭＰＵ２１は、コンテンツ再生装置１１において、コンテンツが再生中か否かを判別する（ステップＳ１１）。
ステップＳ１１の判別において、コンテンツ再生装置１１において、コンテンツ再生中ではない場合には（ステップＳ；Ｎｏ）、処理を終了する。
【００２０】
ステップＳ１１の判別において、コンテンツ再生装置１１において、コンテンツ再生中である場合には（ステップＳ１１；Ｙｅｓ）、ＭＰＵ２１は第２判別手段として機能し、当該情報処理装置１２において、ユーザが操作対象としているアプリケーションがコンテンツ再生装置１１における再生関連のアプリケーションであるか否か、すなわち、ユーザが操作対象としているアプリケーションがリモートコントロールアプリケーションであるか否かを判別する（ステップＳ１２）。
【００２１】
ステップＳ１２の判別において、ユーザが操作対象としているアプリケーションが再生関連のアプリケーションである、すなわち、リモートコントロールアプリケーションである場合には（ステップＳ１２；Ｙｅｓ）、処理を終了する。
【００２２】
ステップＳ１２の判別において、ユーザが操作対象としているアプリケーションが再生関連のアプリケーションではない、すなわち、本実施形態では、メールアプリケーションあるいはブラウザアプリケーション等である場合には（ステップＳ１２；Ｎｏ）、ＭＰＵ２１は、端末操作監視部４３として機能し、ユーザの操作が集中操作状態であるか否かを判別する（ステップＳ１３）。
【００２３】
ここで、端末操作監視部４３として機能するＭＰＵ２１は、当該情報処理装置のオペレーティングシステム（システムソフトウェア）と連携し、ユーザのデバイス操作、アプリケーションの操作内容やデータを監視し、ユーザが情報処理装置１２の操作に集中操作状態にあるか否かを判別するための方法としては、ユーザが情報処理装置１２の操作を行っていて、コンテンツ再生装置１１によって再生されるコンテンツを視聴していないと推測可能な方法であればどのようなものであっても良く、例えば、以下に示す１つ以上の情報、またはその組み合わせを用いて判別することができる。
【００２４】
（１）情報処理装置１２がスリープモードにあったり、ディスプレイ２５が消えている状態であるか。
（２）情報処理装置１２において、動画や音声の再生状態にあるか。
（３）どのアプリケーションを使用しているか。
さらにアプリケーションを使用している場合には、ユーザが行っている操作は何か（例えば、文字を入力している、タッチ操作をしている、カメラで撮影している、等）。
（４）情報処理装置１２の操作頻度はどの程度か。
（５）アプリケーション上で入力している内容は何か。例えば、検索を行っている場合には、検索キーワードなど。
（６）カメラを利用して、ユーザの顔を検知し、ユーザが画面を覗き続けているか。
【００２５】
そして、例えば、メールアプリケーションを起動し、文字を入力し続けていれば、ユーザはメール作成に集中している可能性が高い。また、ブラウザアプリケーションを起動し、何らかのキーワードで検索していれば、ウェブブラウザにユーザの意識が向かっている可能性が高い。さらに、検索しているキーワードが見ているコンテンツ（例えば、番組）と何らかの形で関係していれば、コンテンツの再生に興味は持っているものの、関連情報を調べている可能性が高い。
【００２６】
これらの場合、ユーザは、コンテンツ再生装置１１でコンテンツ（番組）が再生されていたとしても、コンテンツ（番組）の再生にに集中していない、集中操作状態と考えられる。
そこで、ステップＳ１３の判別において、ユーザが集中操作状態である場合には、集中操作フラグをオンにする（ステップＳ１４）。
【００２７】
続いて、ＭＰＵ２１は、コンテンツ変化タイミング検出部４２として機能し、コンテンツ再生状況監視部４１からコンテンツ再生装置がいずれのコンテンツ（番組、チャンネルなど）を再生しているかの情報を取得するとともに、無線通信インタフェース（Ｉ／Ｆ）３１、無線基地局１３及び通信ネットワーク１４を介してコンテンツ情報サーバ１６に接続し、コンテンツ情報ＤＢ１５を利用して、現在再生しているコンテンツの再生状況データを検索する（ステップＳ１５）。
【００２８】
この場合において、ＭＰＵ２１は、コンテンツ変化タイミング検出部４２として機能して、コンテンツ再生装置１１が再生しているコンテンツ（番組）がクライマックスシーン（盛り上がりシーン）や、シーンチェンジがなされた等のコンテンツ変化タイミングを検出した場合、処理判断部４４に対し、再生しているコンテンツ変化タイミングを検出した旨及び当該コンテンツに関するメタデータ（コンテンツ（番組）のタイトル、ジャンル、コンテンツ変化の原因等）を通知することととなる。なお、このコンテンツ変化タイミングの検出は、情報処理装置１２のＭＰＵ２１が行うだけでなく、テレビやレコーダー等のコンテンツ再生装置１１側で行っても良いし、外部サーバにより検出するようにすることも可能である。
【００２９】
ＭＰＵ２１は、処理判断部４４として機能し、現在再生しているコンテンツの再生状況データの検索が完了すると、コンテンツの現在の再生状況がクライマックスシーンに至る状況であるか否かを判別する（ステップＳ１６）。
【００３０】
ここで、クライマックス（盛り上がり）シーンの検出方法としては、以下のようなことが考えられる。
第１の検出方法としては、コンテンツ（番組）の内容を事前に放送局等のコンテンツ配信者から入手する。
また、第２の検出方法としては、ソーシャルネットワークシステム（ＳＮＳ）あるいはやスレッド型掲示板サイトなどを監視し、コメントの投稿数の増減を監視する。
【００３１】
また、第３の検出方法としては、再生中のコンテンツの内容を解析し、音量の増減などから番組の盛り上がり、コマーシャルと番組の切れ目などを検出する。
【００３２】
より、具体的には、ソーシャルネットワークシステム（ＳＮＳ）あるいはやスレッド型掲示板サイトでテレビ番組等のコンテンツに関する内容の投稿数（投稿サイトにおけるハッシュタグでの検索結果、テレビ番組スレッドなど）の増減をリアルタイムで監視したり、番組の詳細なメタデータを持っているコンテンツ情報サーバ１６に接続し、生放送でなく番組の展開がわかっている場合には、メタデータからクライマックスシーンの位置を知ったり、スポーツ番組で音が大きくなった場合に会場の声援が増えたと判断したりする、などの方法が考えられる。
【００３３】
ステップＳ１６の判別において、コンテンツの現在の再生状況がクライマックスシーンに至る状況である場合には（ステップＳ１６；Ｙｅｓ）、処理をステップＳ１８に移行する。
ステップＳ１６の判別において、コンテンツの現在の再生状況がクライマックスシーンに至る状況ではない場合には（ステップＳ１６；Ｎｏ）、ＭＰＵ２１は、現在再生しているコンテンツの現在の再生状況がシーンチェンジに至る状況であるか否かを判別する（ステップＳ１７）。
【００３４】
ステップＳ１７の判別において、現在再生しているコンテンツの現在の再生状況がシーンチェンジに至る状況ではない場合には（ステップＳ１７；Ｎｏ）、処理を終了する。
ステップＳ１７の判別において、現在再生しているコンテンツの現在の再生状況がシーンチェンジに至る状況である場合には（ステップＳ１７；Ｙｅｓ）、ＭＰＵ２１は、現在再生しているコンテンツがリアルタイム性が重要なコンテンツであるか否かを判別する（ステップＳ１８）。
【００３５】
ここで、リアルタイム性が重要なコンテンツについて説明する。
例えば、見ている番組がスポーツの場合、ユーザはリアルタイムで（生で）、コンテンツ（番組）を見る方を好む傾向があると考えられるため、このようなコンテンツは、リアルタイム性が重要なコンテンツとして判別される。なお、ユーザがリアルタイム性が重要なコンテンツである旨を手動で設定するように構成することも可能である。
【００３６】
ステップＳ１８の判別において、リアルタイム性がさほど重要ではないコンテンツを再生している場合には（ステップＳ１８；Ｎｏ）、処理をステップＳ２０に移行する。
【００３７】
ステップＳ１８の判別において、リアルタイム性が重要なコンテンツを再生している場合には（ステップＳ１８；Ｙｅｓ）、ＭＰＵ２１は、ユーザ通知部４６として機能し、ディスプレイ２５において、クライマックスシーンあるいはシーンチェンジをユーザが見逃さないように、視聴勧告を行う（ステップＳ１９）。例えば、ディスプレイ２５において「見ている番組が見逃せないシーンになっています」という表示（通知）を行う。
【００３８】
また必要に応じオーディオインタフェース（Ｉ／Ｆ）３３を介してスピーカ３２から音声（ビープ音なども含む）により注意喚起の通知を行う。
続いて、ＭＰＵ２１は、コンテンツ再生装置１１が内蔵している一又は複数の録画可能機器あるいは他の外部機器としての一または複数の録画可能機器を検索する（ステップＳ２０）。
【００３９】
続いて、ＭＰＵ２１は、ステップＳ２０の録画機器検索処理において、録画可能機器が存在するか否かを判別する（ステップＳ）。
ステップＳ２１の判別において、録画可能機器が存在する場合には（ステップＳ２１；Ｙｅｓ）、ＭＰＵ２１は、リモートコントロール部４５として機能し、録画可能機器に録画を行わせ（ステップＳ２２）、処理を終了する。
【００４０】
ステップＳ２１の判別において、録画可能機器が存在しない場合には（ステップＳ２１；Ｎｏ）、ＭＰＵ２１は、無線通信インタフェース（Ｉ／Ｆ）３１、無線基地局１３及び通信ネットワーク１４を介してコンテンツ配信サーバ１７に接続し、現在再生しているコンテンツと同一のコンテンツ（対象コンテンツ）を検索するコンテンツ配信サーバ検索処理を行う（ステップＳ２３）。
【００４１】
次にＭＰＵ２１は、現在再生しているコンテンツと同一のコンテンツ（対象コンテンツ）が存在するか否かを判別する（ステップＳ２４）。
【００４２】
ステップＳ２４の判別において、対象コンテンツが存在しない場合には（ステップＳ２４；Ｎｏ）、ＭＰＵ２１は、ユーザ通知部（通知部）４６として機能し、ディスプレイ２５において、クライマックスシーンあるいはシーンチェンジをユーザが見逃さないように、視聴勧告を行い（ステップＳ２５）、処理を終了する。例えば、ディスプレイ２５において「見ている番組が見逃せないシーンになっています」という表示（通知）を行う。
また必要に応じオーディオインタフェース（Ｉ／Ｆ）３３を介してスピーカ３２から音声（ビープ音なども含む）により注意喚起の通知を行う。
【００４３】
ステップＳ２４の判別において、対象コンテンツが存在する場合には（ステップＳ２４；Ｙｅｓ）、ＭＰＵ２１は、当該対象コンテンツが、無料閲覧可能コンテンツであるか否かを判別する（ステップＳ２６）。ここで、無料閲覧可能コンテンツには、単に無料で閲覧可能なコンテンツばかりでなく、契約済のサブスクリプションサービス等によりコンテンツ再生のために追加でお金のかからないコンテンツである場合も含む。
【００４４】
ステップＳ２６の判別において、当該対象コンテンツが、無料閲覧可能コンテンツである場合には（ステップＳ２６；Ｙｅｓ）、ＭＰＵ２１は、閲覧可能フラグをオンにして（ステップＳ２７）、処理を終了する。
【００４５】
ここで、閲覧可能フラグをオンにするのは、当該コンテンツは、ユーザが望めば、後に視聴可能であるため、直ちに視聴勧告等を行う必要がないので、すぐには通知せず、次に「操作集中フラグ」がオフになったときに、その番組が既に終わっている場合には「見ていた番組は××サービスで視聴可能です」という旨の通知を、その番組がまだやっている場合には「見ている番組は××サービスで視聴可能です」という旨の通知を行うためである。
【００４６】
ステップＳ２６の判別において、当該対象コンテンツが無料閲覧可能コンテンツではない場合には（ステップＳ２６；Ｎｏ）、ＭＰＵ２１は、ユーザ通知部４６として機能し、有料視聴可状態である旨の通知を行う（ステップＳ２８）。
【００４７】
具体的には、例えば、ペイパービューのダウンロードあるいはレンタルサービスである場合には、ユーザに対してすぐに、「見ている番組は××サービスで視聴可能です。ただし、視聴にはＸＸＸ円の支払いが必要です。」という通知を行う。
一方、ステップＳ１３の判別において、ユーザが集中操作状態ではない場合には、ＭＰＵ２１は、集中操作フラグをオフにし（ステップＳ２９）、閲覧可能フラグがオンになっているか否かを判別する（ステップＳ３０）。
ステップＳ３０の判別において、閲覧可能フラグがオンではない場合には（ステップＳ３０；Ｎｏ）、ユーザは、コンテンツ再生に集中している場合であるので、処理を終了する。
【００４８】
ステップＳ３０の判別において、閲覧可能フラグがオンになっている場合には（ステップＳ３０；Ｙｅｓ）、以前にユーザの集中操作状態があり、クライマックスシーンや、シーンチェンジをユーザが見逃している可能性があるので、対応する処理を行う必要があるが、まず、ＭＰＵ２１は、当該コンテンツを再生中か否かを判別する（ステップＳ３１）。
【００４９】
ステップＳ３１の判別において、コンテンツが未だ再生中である場合には（ステップＳ３１；Ｙｅｓ）、ＭＰＵ２１は、ユーザ通知部４６として機能し、再生をやめて、あるいは、再生を終了した後に視聴可状態である旨の視聴勧告を行う（ステップＳ３２）。例えば、ディスプレイ２５において、「見ている番組は、××サービスで視聴可能です。」という表示（通知）を行う。
また必要に応じオーディオインタフェース（Ｉ／Ｆ）３３を介してスピーカ３２から音声（ビープ音なども含む）により注意喚起の通知を行う。
【００５０】
また、ステップＳ３１の判別において、コンテンツの再生が終了している場合には（ステップＳ；Ｎｏ）、ＭＰＵ２１は、ユーザ通知部４６として機能し、直ちに視聴可状態である旨の視聴勧告を行う（ステップＳ３３）。例えば、ディスプレイ２５において、「見ていた番組は、××サービスで視聴可能です。」という表示（通知）を行う。
また必要に応じオーディオインタフェース（Ｉ／Ｆ）３３を介してスピーカ３２から音声（ビープ音なども含む）により注意喚起の通知を行う。
【００５１】
以上の説明のように、本実施形態によれば、タブレット、携帯電話、パーソナルコンピュータとして構成された情報処理装置１２において、ユーザが操作に集中しても、クライマックスシーンやシーンチェンジ等の見逃しを防ぐことができる。
さらに、視聴しているコンテンツ（例えば、テレビ番組）のジャンル・内容、ユーザが視聴する機器や機器の状態に応じて、最適な見逃し対策を自動で行うことができる。
【００５２】
以上の説明においては、対象コンテンツが、無料閲覧可能コンテンツである場合に閲覧可能フラグをオンして、視聴勧告を行う場合について説明したが、外部の記録装置（録画装置）に記録（録画）を行った場合にも同様に適用が可能である。この場合において、同時並行して記録再生を行うことが可能なハードディスクレコーダのような記録装置に記録を行うような場合であれば、コンテンツの録画と、再生と、を同時並行して行うことも可能である。
すなわち、外部の記録装置に記録を行った場合には、無料閲覧可能コンテンツと同様に、課金などのユーザの決定操作を待つことなく視聴可能となるため、集中操作状態において直ちにユーザに通知する必要が無いからであり、これにより、ユーザの使い勝手が向上する。
【００５３】
以上の説明においては、コンテンツ再生装置としてテレビの場合について説明したが、ラジオ、ＣＤプレーヤ、デジタルオーディオ再生装置等のオーディオ再生装置であっても聴取中のコンテンツに対して同様に適用が可能である。
【００５４】
本実施形態の情報処理装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【００５５】
また、本実施形態の情報処理装置で実行される制御プログラムを、インターネット等のネットワークに接続されたコンピュータ上に格納し、ネットワーク経由でダウンロードさせることにより提供するように構成しても良い。また、本実施形態の情報処理装置で実行される制御プログラムをインターネット等のネットワーク経由で提供または配布するように構成しても良い。
【００５６】
また、本実施形態の情報処理装置の制御プログラムを、ＲＯＭ等に予め組み込んで提供するように構成してもよい。
【００５７】
本実施形態の情報処理装置で実行される制御プログラムは、上述した各部（コンテンツ再生状況監視部、コンテンツ変化タイミング検出部、端末操作監視部、処理判断部、ユーザ通知部）を含むモジュール構成となっており、実際のハードウェアとしてはＭＰＵ（プロセッサ）が上記記憶媒体から制御プログラムを読み出して実行することにより上記各部が主記憶装置上にロードされ、コンテンツ再生状況監視部、コンテンツ変化タイミング検出部、端末操作監視部、処理判断部、ユーザ通知部が主記憶装置上に生成されるようになっている。
【符号の説明】
【００５８】
１０    コンテンツ再生システム
１１    コンテンツ再生装置（他の電子機器）
１２    情報処理装置
１４    通信ネットワーク
１５    コンテンツ情報データベース
１６    コンテンツ情報サーバ
１７    コンテンツ配信サーバ
２１    ＭＰＵ（第１判別手段、第２判別手段、通知手段、記録制御手段）
２２    ＲＯＭ
２３    ＲＡＭ
２４    フラッシュＲＯＭ
２５    ディスプレイ（通知手段）
２６    タッチパネル
２７    タッチパネルディスプレイ
２８    カメラ
３２    スピーカ（通知手段）
３３    オーディオインタフェース（通知手段）
４１    コンテンツ再生状況監視部（第１判別手段）
４２    コンテンツ変化タイミング検出部（検出手段）
４３    端末操作監視部
４４    処理判断部（第２判別手段）
４５    リモートコントロール部（記録制御手段）
４６    ユーザ通知部（通知手段）
【図１】
2014120806.tif 000003
【図２】
2014120806.tif 000004
【図３】
2014120806.tif 000005
【図４】
2014120806.tif 000006
【図５】
2014120806.tif 000007